(57)【要約】【課題】植物育成容器の基底部を大きくすることなく、安定した状態に設置することができるようにした植物育成容器を提供する。【解決手段】植物育成容器１は、栽培培地１００に植えられた植物１０１を載置台１０に載置し、側壁は載置台１０に立設した透明な周囲壁部２０であり、載置台１０の上方に天井部３０が配設され、天井部３０と載置台１０とを支柱４０が連結し、載置台１０の内部には光源１３及び重量のある電源部１２を配設し、光源１３が発光した光を支柱４０に沿って配設した導光体５０によって天井部３０近傍まで導いて植物１０１を照射する。【選択図】図１
2014147325.tif 000002
【特許請求の範囲】
【請求項１】
栽培培地に植えられた植物を収容して栽培するとともに収容した植物を外部から観賞できる植物育成容器において、
栽培培地に植えられた植物を載置するための載置台と、該載置台に立設した透明な周囲壁部と、前記載置台の上方に配設された天井部と、該天井部と前記載置台とを連結する支柱とを備え、
前記載置台の内部に電源部及び光源を配設し、該光源が発光した光を前記天井部近傍まで導く導光体を前記支柱に沿って配設し、該導光体を介して前記天井部近傍まで導いた光によって前記植物を照射することを特徴とする植物育成容器。
【請求項２】
前記天井部近傍に位置する前記導光体の先端部は、該先端部から射光した光が前記植物に向かう方向に向けられたことを特徴とする請求項１に記載の植物育成容器。
【請求項３】
前記天井部は、前記載置台に対面する下面側に、光を反射するための反射面が形成され、
前記天井部近傍に位置する前記導光体の先端部は、該先端部から射光した光が前記天井部の反射面に向かう方向に向けられたことを特徴とする請求項１に記載の植物育成容器。
【請求項４】
前記導光体の先端部に光を拡散させるレンズを設けたことを特徴とする請求項１，２または３に記載の植物育成容器。
【請求項５】
栽培培地に植えられた植物を収容して栽培するとともに収容した植物を外部から観賞できる植物育成容器において、
栽培培地に植えられた植物を載置するための載置台と、該載置台の上方に配設された天井部と、該天井部と前記載置台とを連結する中空の支柱と、前記載置台と前記天井部との間に配設された透明な周囲壁部とを備え、
前記載置台の内部に電源部を配設し、
前記天井部に光源を配設して該光源と前記電源部側とを接続する配線を前記中空の支柱内に通したことを特徴とする植物育成容器。
【請求項６】
前記光源と前記電源部側とを接続する配線を金属板としたことを特徴とする請求項５に記載の植物育成容器。
【発明の詳細な説明】
【技術分野】
【０００１】
本発明は、栽培培地に植えられた植物を収容して栽培するとともに、収容した植物を外部から観賞できる植物育成容器に関する。
【背景技術】
【０００２】
従来の植物育成容器としては、例えば特許文献１に示すようなものがある。
すなわち、透過性のあるボトル体、該ボトル体の下開口部に装着するカップ台、ボトル体の上開口部に装着する蓋体から構成されており、カップ台には栽培培地を充填し、該充填した栽培培地に植物を植え込むようにした植物栽培ボトルである。
【０００３】
この植物栽培ボトルの蓋体下側には発光装置が設けられており、低光源下または無光環境であっても明瞭に観賞することができる。これにより、ボトル体内の栽培培地に植えた植物を育成しながらいつでも観賞することができる。
【先行技術文献】
【特許文献】
【０００４】
【特許文献１】実用新案登録第３１７８３６２号公報
【発明の概要】
【発明が解決しようとする課題】
【０００５】
しかしながら、このような従来の技術では、発光装置や電源装置および電源スイッチ等がボトル本体の上開口部に装着する蓋体に設けられているためにトップヘビーとなり、転倒し易いという問題点があった。
【０００６】
この転倒の問題点を解決するために基底部を大きく且つ重くしたものが有るが、基底部を大きくするとそれだけ嵩張ることになり、配置位置に制限が生じたり、邪魔になったりすることも有り得る。
【０００７】
本発明は、このような従来の技術が有する問題点に着目してなされたもので、植物育成容器の基底部を大きくすることなく、安定した状態に設置することができるようにした植物育成容器を提供することを目的としている。
【課題を解決するための手段】
【０００８】
前述した目的を達成するための本発明の要旨とするところは、次の各項の発明に存する。
［１］栽培培地（１００）に植えられた植物（１０１）を収容して栽培するとともに収容した植物（１０１）を外部から観賞できる植物育成容器（１）において、
栽培培地（１００）に植えられた植物（１０１）を載置するための載置台（１０）と、該載置台（１０）に立設した透明な周囲壁部（２０）と、前記載置台（１０）の上方に配設された天井部（３０）と、該天井部（３０）と前記載置台（１０）とを連結する支柱（４０）とを備え、
前記載置台（１０）の内部に電源部（１２）及び光源（１３）を配設し、該光源（１３）が発光した光を前記天井部（３０）近傍まで導く導光体（５０）を前記支柱（４０）に沿って配設し、該導光体（５０）を介して前記天井部（３０）近傍まで導いた光によって前記植物（１０１）を照射することを特徴とする植物育成容器（１）。
【０００９】
［２］前記天井部（３０）近傍に位置する前記導光体（５０）の先端部は、該先端部から射光した光が前記植物（１０１）に向かう方向に向けられたことを特徴とする［１］に記載の植物育成容器（１）。
【００１０】
［３］前記天井部（３０）は、前記載置台（１０）に対面する下面側に、光を反射するための反射面（３１）が形成され、
前記天井部（３０）近傍に位置する前記導光体（５０）の先端部は、該先端部から射光した光が前記天井部（３０）の反射面（３１）に向かう方向に向けられたことを特徴とする［１］に記載の植物育成容器（１）。
【００１１】
［４］前記導光体（５０）の先端部に光を拡散させるレンズを設けたことを特徴とする［１］，［２］または［３］に記載の植物育成容器（１）。
【００１２】
［５］栽培培地（１００）に植えられた植物（１０１）を収容して栽培するとともに収容した植物（１０１）を外部から観賞できる植物育成容器（２）において、
栽培培地（１００）に植えられた植物（１０１）を載置するための載置台（１０）と、該載置台（１０）の上方に配設された天井部（３０）と、該天井部（３０）と前記載置台（１０）とを連結する中空の支柱（４０）と、前記載置台（１０）と前記天井部（３０）との間に配設された透明な周囲壁部（２０）とを備え、
前記載置台（１０）の内部に電源部（１２）を配設し、
前記天井部（３０）に光源（１１３）を配設して該光源（１１３）と前記電源部（１２）側とを接続する配線（１７）を前記中空の支柱（４０）内に通したことを特徴とする植物育成容器（２）。
【００１３】
［６］前記光源（１１３）と前記電源部（１２）側とを接続する配線（１７Ａ）を金属板としたことを特徴とする［５］に記載の植物育成容器（２）。
【００１４】
前記本発明は次のように作用する。
項［１］および［２］の植物育成容器（１）によれば、栽培培地（１００）に植えられた植物（１０１）を載置するための載置台（１０）内部に電源部（１２）等の重量のあるものと光源（１３）とが収容されているので、植物育成容器（１）の重心が低い位置にあり、植物育成容器（１）は安定して倒れ難いものとなっている。
【００１５】
また、光源（１３）が発光した光を支柱（４０）に沿って配設された導光体（５０）が天井部（３０）近傍まで導いて植物（１０１）に向かって照射するようになっている。このため、電源部（１２）と光源（１３）とを接続する配線は載置台（１０）内に有る。したがって、配線が観賞者の目に触れることはないので、植物育成容器（１）自体の美観を向上させることができる。
【００１６】
項［３］の植物育成容器（１）では、天井部（３０）は、載置台（１０）に対面する下面側に、光を反射するための反射面（３１）が形成されており、天井部（３０）近傍に位置する導光体（５０）の先端部は、射光した光が天井部（３０）の反射面（３１）に向かう方向に向けられているので、反射面（３１）の形態によって様々な光照射をすることができる。
【００１７】
また、項［４］の植物育成容器（１）のように、導光体（５０）の先端部に光を拡散させるレンズを設けることにより、光の照射範囲を広げることができるので、植物（１０１）にはより多くの部分に光を当てることができる。
【００１８】
項［５］の植物育成容器（２）によれば、載置台（１０）内部に電源部（１２）等の重量のあるものが収容されているので、植物育成容器（２）の重心が低い位置に有り、植物育成容器（２）は安定して倒れ難いものとなる。載置台（１０）内の電源部（１２）側と天井部（３０）に配設された光源（１１３）とを接続する配線（１７）は、載置台（１０）と該載置台（１０）の上方に配設され天井部（３０）とを連結している中空の支柱（４０）内に通されているので、見栄えを悪くすることがない。
【００１９】
項［６］の植物育成容器（２）のように光源（１１３）と電源部（１２）側とを接続する配線（１７Ａ）を金属板としてある場合には、さらに配線の見栄えを改善することができる。
【発明の効果】
【００２０】
本発明にかかる植物育成容器によれば、重心を低くするために電源部等の重量物を植物育成容器の下部に有る載置台内に収容してあるので、植物育成容器は安定した倒れにくいものとすることができる。
【００２１】
また、光源も載置台内に収容し、光源が射光した光を導光体によって天井部近傍まで導くので、容器自体の美観を優れたものにすることができる。
【００２２】
また、天井部の下面を反射面とした場合には、反射面の形態によって様々な光照射をすることができる。
【００２３】
さらに、導光体の先端部に拡散レンズを設けることにより、植物のより多くの部分に光を当てることができるので、植物をより効果的に育成することができる。
【図面の簡単な説明】
【００２４】
【図１】本発明の第１の実施の形態に係る植物育成容器の構成の概略を示す模式図である。
【図２】図１における導光体を示す斜視図である。
【図３】本発明の第２の実施の形態に係る植物育成容器の構成の概略を示す模式図である。
【図４】本発明の第２の実施の形態に係る植物育成容器の変形例を示す模式図である。
【発明を実施するための形態】
【００２５】
以下、図面に基づき本発明の好適な各種の実施の形態を説明する。
図１および図２は本発明の第１の実施の形態を示している。
図１は、第１の実施の形態に係る植物育成容器の構成の概略を示す模式図である。図２は、図１における導光体を示す斜視図である。
【００２６】
図１に示すように、植物育成容器１は、栽培培地１００に植えられた植物１０１を収容して栽培するとともに収容した植物１０１を外部から観賞することができるものであり、カップＣ等の器に入れた栽培培地１００に植えられた植物１０１を載置するための載置台１０と、この載置台１０に取り付けた透明な周囲壁部２０と、この周囲壁部２０の上方に配設された天井部３０と、この天井部３０と載置台１０とを連結する支柱４０とを備えている。
【００２７】
載置台１０は、収納空間１１が内部に形成されている。収納空間１１には、ＡＣアダプター等の電源部１２、光源１３であるＬＥＤのＬＥＤ基板１６、これら電源部１２や光源１３を接続する配線１４が収納されている。この載置台１０は、内部が見えないように不透明の素材、例えば不透明なプラスチック、金属、木材等のさまざまな素材のものを使用することができる。これにより、配線が観賞者の目に触れることがなく、植物育成容器１の美観を向上させることができる。
【００２８】
周囲壁部２０は、透明性の高い素材により筒状に成形されており、例えばアクリル樹脂や他にもポリエチレンテレフタレート（ＰＥＴ），ポリカーボネート（ＰＣ）、飽和ポリエステル樹脂等が用いられている。この周囲壁部２０の上には、天井部３０が配設されている。
【００２９】
天井部３０は、載置台１０に対面する下面側に、光を反射するための反射面３１が形成されている。この反射面３１は、例えば平面鏡、凸面鏡、凹面鏡等の鏡面としたものである。天井部３０には、金属、プラスチック、ガラス等を用いることができる。
【００３０】
天井部３０は、載置台１０に立設した中空の支柱４０の上に着脱自在に設けられている。この支柱４０内には、載置台１０内部の光源１３が発光した光を導く導光体５０が支柱４０に沿って天井部３０に向けて延設されている。導光体５０は、例えば光ファイバーやアクリルの導光板である。導光体５０は、基端５１側で光源１３からの光が入射し、導光された光が射光される先端５２は、光を反射面３１の中央寄りにやや傾けて射光するように斜めにカットされている。光源１３は、不図示のスイッチにより、自在に点灯および消灯をすることができる。
なお、この先端５２には、レンズを設けて光が拡散して射光されるようにしてもよい。
【００３１】
次に本実施の形態に係る植物育成容器１の作用を説明する。
植物育成容器１は、栽培培地１００に植えられた植物１０１を載置するための載置台１０内部に電源部１２等の重量のあるものを収容してある。したがって、植物育成容器１の重心は低い位置にあり、植物育成容器１は安定して倒れ難い。
【００３２】
栽培培地１００に植えられた植物１０１を載置台１０に載置したり、取り出したりすることは、天井部３０を外して行える。
【００３３】
光源１３を発光させると、射光した光が支柱４０に沿って配設された導光体５０により天井部３０の近傍に位置する先端５２まで導かれる。先端５２から射光した光は天井部３０の反射面３１で反射して植物１０１を照射する。
【００３４】
反射面３１で反射された光は、反射面３１の形状や表面処理の形態によって様々な光照射をすることができる。また、導光体５０の先端部に光を拡散させるレンズを設けた場合には、光の照射範囲を広げることができるので、植物１０１にはより多くの部分に光を当てることができる。このため、このような光の照射は植物１０１の観賞だけでなく育成面で効果を高めることができる。
【００３５】
次に本発明の第２の実施の形態について説明する。
図３は本発明の第２の実施の形態を示している。
本実施の形態に係る植物育成容器２では、光源１１３を天井部３０の反射面３１に設け、載置台１０内の電源部１２側に配置したＬＥＤ基板１６と光源１１３とを配線１７により接続したものである。
なお、第１の実施の形態と同種の部位には同一符号を付し重複した説明を省略する。
【００３６】
本実施の形態では、載置台１０内の電源部１２の近傍に設けたＬＥＤ基板１６と天井部３０に配設された光源１１３とを配線１７が接続している。この配線１７は、中空の支柱４０内に通されている。このため植物育成容器２の見栄えを悪くすることがない。
【００３７】
支柱４０と天井部３０とは、支柱４０からの配線１７と天井部３０側の光源１１３の配線とを接続可能なジョイント構造を有している。これにより、第１の実施の形態と同様に、天井部３０を外して栽培培地１００に植えられた植物１０１を載置台１０に載置したり、取り出したりすることができる。
【００３８】
図４は第２の実施の形態の変形例を示している。
異なる点はＬＥＤ基板１６と光源１１３とを接続する配線を薄く細い金属板の配線１７Ａとした点である。
【００３９】
次に作用を説明する。
本実施の形態においても、載置台１０内部に電源部１２等の重量のあるものが収容されているので、植物育成容器２，２Ａの重心が低い位置に有り、植物育成容器２，２Ａは安定して倒れ難い。載置台１０内の電源部１２側と天井部３０に配設された光源１１３とを接続する配線１７，１７Ａは、載置台１０と該載置台１０の上方に配設され天井部３０とを連結している中空の支柱４０内に通されているので、植物育成容器２，２Ａの見栄えを悪くすることがない。
【００４０】
以上、本発明の実施の形態を図面によって説明してきたが、具体的な構成は前述した実施の形態に限られるものではなく、本発明の要旨を逸脱しない範囲における変更や追加があっても本発明に含まれる。
【００４１】
例えば、反射面３１は、鏡面に代えて光が乱反射するような表面処理を施したものにしてもよい。また、鏡面上に光が乱反射するような表面処理を施してもよい。
【産業上の利用可能性】
【００４２】
本発明は、植物の観賞や育成を目的とした植物育成容器であるが、植物に限らず人工、自然物等の様々なオブジェ、アクセサリー等を収容して観賞するものとしても広く適用することができる。
【符号の説明】
【００４３】
Ｃ…カップ
１…植物育成容器
２…植物育成容器
１０…載置台
１１…収納空間
１２…電源部
１３…光源
１４…配線
１６…ＬＥＤ基板
１７…配線
１７Ａ…配線
２０…周囲壁部
３０…天井部
３１…反射面
４０…支柱
５０…導光体
５１…基端
５２…先端
１００…栽培培地
１０１…植物
１１３…光源
【図１】
2014147325.tif 000003
【図２】
2014147325.tif 000004
【図３】
2014147325.tif 000005
【図４】
2014147325.tif 000006